(57)【要約】【課題】車両用加飾部材において、光ムラの抑制された発光部を提供する。【解決手段】  少なくとも一個の発光素子３ｂと、前記発光素子３ｂを収納するケース部材３ａと、該ケース部材３ａの開口を覆うカバー部材４とを備え、前記カバー部材４には、光を透過する透光部４ａと、光を透過しない不透光部４ｂが設けられており、前記発光素子３ｂから放出される光が前記ケース部材３ａへ照射され、該ケース部材３ａからの反射光が、前記カバー部材４の前記透光部４ａを透過するように構成された、車両用加飾部材とする。【選択図】図２
2018135012.tif 000002
【特許請求の範囲】
【請求項１】
少なくとも一個の発光素子と、
前記発光素子を収納するケース部材と、
該ケース部材の開口を覆うカバー部材とを備え、
前記カバー部材には、光を透過する透光部と、光を透過しない不透光部が設けられており、
前記発光素子から放出される光が前記ケース部材へ照射され、該ケース部材からの反射光が、前記カバー部材の前記透光部を透過するように構成された、車両用加飾部材。
【請求項２】
請求項１に記載の車両用加飾部材において、
前記カバー部材は、基板体と、前記基板体の外側の第一の面と、内側の第二の面のいずれか一方の面上に配置された加飾体とを備え、前記加飾体は、第一の不透明層と、一部に透光部が形成された第二の不透明層と、光を散乱しながら透過する調整層と、着色層からなる積層体である、車両用加飾部材。
【請求項３】
請求項２に記載の車両用加飾部材において、
前記第一の不透明層と、第二の不透明層とが同じ素材で形成される、車両用加飾部材。
【請求項４】
請求項１から３のいずれか一項に記載の車両用加飾部材において、
前記カバー部材の最外面に意匠層を有する、車両用加飾部材。
【発明の詳細な説明】
【技術分野】
【０００１】
本発明は車両用加飾部材に関し、特に発光部における発光ムラが抑制された車両用加飾部材に関する。
【背景技術】
【０００２】
車両には、インストルメントパネル、ドアトリム、フロア、ルーフ等の各種の部位に加飾部材が設けられている。加飾部材には、しばしば実用上の目的で、あるいは意匠性の向上を目的として、照明体が配置されている。例えば、特許文献１は、自動車のマークプレートに用いる表示装置に関し、透光性材料からなる表示板の裏面に文字を表すマーク部を凹設し、該マーク部を透光性の金属粒子で覆い、マーク部以外の地色部を遮光膜層で覆った表示装置において、地色部を均一な平坦面とするとともに、金属粒子層を光拡散層で覆った表示装置を記載している。
【先行技術文献】
【特許文献】
【０００３】
【特許文献１】実公平５−２１１０６号公報
【発明の概要】
【発明が解決しようとする課題】
【０００４】
特許文献１の照明装置では、地色部分を均一な平坦面として遮光層を良好に形成するとともに、光拡散層によってマーク部への埃の侵入を防止し、昼間は外光を反射してマーク部が金属調に見えないようにしている。しかし、照射方法としては光拡散層を含めた構造の背後から照明される構成が示されており、この場合には、拡散効果が十分ではなく、均一な発光を得るのは困難である。また、発光表示すべき部位であるマーク部が、非発光時にも見えてしまうため、見栄えが悪いという問題もある。均一な発光を得るためには、面状の導光体を用いることが知られているが、照明部品の費用が増加し、組み付けコストが嵩むなどの問題がある。
【０００５】
本発明は、発光部位を備えた加飾部材において、発光ムラがなく均一な発光が得られ、非発光時には、発光部位が目立たない、視認性および意匠性に優れた加飾部材を提供することを目的とする。
【課題を解決するための手段】
【０００６】
本発明の車両用加飾部材は、少なくとも一個の発光素子と、前記発光素子を収納するケース部材と、該ケース部材の開口を覆うカバー部材とを備え、前記カバー部材には、光を透過する透光部と、光を透過しない不透光部が設けられており、前記発光素子から放出される光が前記ケース部材へ照射され、該ケース部材からの反射光が、前記カバー部材の前記透光部を透過するように構成された、車両用加飾部材である。
【０００７】
上記構成の車両用加飾部材によれば、ケース部材から拡散反射される光を透光部を透過させることにより、大きなサイズの導光体を用いなくても、加飾部材の発光部位で発光ムラのない、均一な発光を得ることができる。
【０００８】
前記車両用加飾部材において、前記カバー部材は、基板体と、前記基板体の外側（視認者側）の第一の面（外面）と、内側（前記ケース部材側）の第二の面（内面）のいずれか一方の面上に配置された加飾体とを備え、前記加飾体は、第一の不透明層と、一部に透光部が形成された第二の不透明層と、光を散乱しながら透過する調整層と、着色層からなる積層体であってもよい。
【０００９】
上記構成の加飾部材によれば、非発光時に透光部のパターン（文字、図形など）は目立たず、発光時にのみこれらのパターンが明瞭に視認される構成とすることができ、発光時と非発光時の見栄えの差異を顕著なものとすることができる。
【００１０】
上記車両用加飾部材において、前記第一の不透明層と、第二の不透明層とが同じ素材で形成されるものであってもよい。これによって、非発光時に透光部が一層目立ちにくくなる。また加飾部材の製造工程を簡略化し、コストを低減することができる。
【００１１】
上記の車両用加飾部材は、前記カバー部材の外面側に意匠層を有するものであってもよい。意匠層によって、加飾部材非発光時の外観を調整することができる。
【発明の効果】
【００１２】
本発明によれば、発光部位における発光ムラのない加飾部材を提供でき、意匠性が向上するとともに、発光部が車両の操作に関与する場合には、視認性の向上によって操作性を向上することができる。
【図面の簡単な説明】
【００１３】
【図１】本発明の加飾部材の一実施形態を示す図であり、（ａ）は加飾部材の正面図、（ｂ）はカバーをはずした状態での正面図である。
【図２】図１に示す加飾部材のＡ−Ａ断面図である。
【図３】加飾体を積層した加飾部材カバーの断面図である。
【図４】図２に示す加飾部材の一変形例を示す断面図である。
【発明を実施するための形態】
【００１４】
以下、図面を参照して本発明の実施形態を説明する。
以下の実施形態の車両用加飾部材は、インストルメントパネルに取り付けられて、発光時に文字や図形を表示するものである。図１は、本発明の一実施形態に係る加飾部材を示す図であり、（ａ）はカバー部材４を設置した状態での正面図、（ｂ）はカバー部材４を外した状態での正面図である。加飾部材１は、細長い形状の基体２と、基体２上に設置された発光部３と、カバー部材４とを備えている。発光部３は、加飾部材の長手方向Ｘの一端部の近傍に配置されている。カバー部材４には、光を透過する透光部４ａと、光を透過しない不透光部４ｂが設けられており、発光部３の発光時には、文字、図形などのパターンが透光部４ａに表示される。
【００１５】
発光部３は、光を拡散反射する表面を有するケース部材３ａと、発光ダイオード(以下ＬＥＤ)のような発光素子３ｂとを有する。図２に示すように、ケース部材３ａは底壁３ａａとその周縁部から立ち上がった側壁３ａｂを備える上方に開口した容器形状を有する。ケース部材３ａは、基体２の凹所２０内に嵌め込まれており、発光素子３ｂはケース部材３ａの加飾部材長手方向Ｘ（図１）に沿った側端縁の近傍に収納されている。該発光素子３ｂは、ケース部材３ａに光を照射する一方、カバー部材４の透光部４ａ（図１）には、直接照射光が入射しないように配置されている。
【００１６】
図２に示す実施形態では、発光素子３ｂは、導線（図示せず）と、回路基板３０と、ＬＥＤ本体３１とを有し、ＬＥＤ本体３１は、底面３１ａが回路基板３０に接合され、頂面である発光面３１ｂがケース部材３１の内面を向くように設置されている。ＬＥＤ本体３１の発光面３１ｂに対する法線が、ケース部材３ａの底壁３ａａのほぼ平坦な内面（内底面）に対してなす角度θは特に限定しないが、カバー部材４の透光部４ａ（図１）を透過する光にムラが発生しないよう適切な角度にＬＥＤ本体３１の位置を調整する。図２で破線で示すようにケース部材３１から拡散反射された光は、カバー部材４の透光部４ａ（図１）を透過し、図１（ａ）に示す文字（ＡＢＣ）のような発光パターンとして観察される。図２に示す実施形態では、カバー部材４は、基体２にテープ５で接着されているが、カバー部材４の基体４への取り付け方法は、溶着、爪（図示せず）の嵌め合い、ビス留め等でもよく、特に限定されない。
【００１７】
ケース部材３ａは、ＬＥＤ本体３１から照射された光をカバー部材４側に拡散反射する。ケース部材３ａの素材に特に限定はないが、例えば、アクリル、ポリカーボネート等の樹脂、アルミニウム等の金属であってもよい。ケース部材３ａの表面は、光を散乱させるため、微細な凹凸が形成されていることが好ましい。凹凸の寸法（深さや径など）は限定しないが、反射光の強度分布が正円に近くなるよう凹凸を形成するのが好ましい。これにより、光が等方的に拡散し、透光部４ａ（図１）においてムラが発生することが抑制される。樹脂で形成する場合の色に特に制限はないが、光を効率よく反射させるため、白色その他、明色の部材であることが好ましい。
【００１８】
図３に本実施形態に係るカバー部材４の断面図を示す。透光部４ａと不透光部４ｂとを有するカバー部材４は、透光性の基板体４０に、透光部４ａを除いて不透光性を示す被膜を設けることにより、形成することができる。基板体４０は、透光性を有するものであれば特に限定されず、例えば、ポリカーボネート、アクリル樹脂、シリコーン樹脂等を使用することができる。基板体は光拡散材料を含有してもよく、表面に微細な凹凸があってもよいが、透光部の文字やパターンの境界を明確化するためには、基板体は光拡散材料を含まず、平滑な表面を有するものであることが好ましい。不透光性の被膜は、カバー部材４０の外面に形成してもよく、内面に形成してもよい。好適には、カバー部材４は、基板体４０と、不透光性の被膜を含む加飾体４１とを有する。さらにカバー部材４は、意匠層４２を備えていてもよい。
【００１９】
図３に示す実施形態では、加飾体４１（加飾体層）は、第一の不透明層４１ａと、第二の不透明層４１ｂと、調整層４１ｃと、着色層４１ｄとからなる。第二の不透明層４１ｂには、一部に開口または切欠４５が設けられており、これにより透光部４ａが形成されている。すなわち、透光部４ａは、第一の不透明層４１ａと、調整層４１ｃと、着色層４１ｄとからなり、第二の不透明層４１ｂを有しない。
【００２０】
本発明の記載において、不透明層とは、完全に光を透過しないものではなく、一定の光吸収性を有し、所定の照度の光に対しては、不透明であるが、より照度の大きな光は一定の透過性を有する層（準不透明層、光吸収層）をいう。二枚の不透明層４１ａ、４１ｂが積層された部位は、発光素子３ｂから照射されケース部材から拡散反射された光も（視認し得る程度には）透過せず、不透光部を構成する。他方、第一の不透明層４１ａのみが形成された透光部４ａでは、ＬＥＤ本体３１の点灯時には、ケース部材３ａから拡散反射された光を透過する一方、非点灯時に、カバー部材４の外側から加飾部材４１の内部へ入射する光があっても、その反射光は視認されず、透光部４ａと、不透光部４ｂに見かけ上の違いは目立たない。第一の不透明層４１ａと、第二の不透明層４１ｂは同じ素材からなるものであってもよく、たとえば、一般的な黒色塗料の塗膜であってもよい。第一の不透明層４１ａと、第二の不透明層４１ｂが同じ素材であれば、非点灯時の見かけの違いはより目立たなくなる。
【００２１】
調整層は、上記に記載したようなＬＥＤ本体３１の非点灯時にカバー部材４の外側から切欠４５の内部へ入射する光があっても中身が透けて見えないようにする機能を有する層である。調整層がない場合は、着色層４１ｄが透けて見える。例えば、調整層は、光を散乱しながら透過する層、例えば、透明塗料中に光散乱粒子が分散されたスモーク調の塗膜（スモーク層）であってもよい。
【００２２】
着色層４１ｄは、透光部４ａを通じて放射される光に所定の色調を付与するものであって、色素を含む透明被膜からなる。
【００２３】
上記の加飾体４１は、外側（視認者側）から見て、第一の不透明層４１ａ、第二の不透明層４１ｂ、調整層４１ｃ、着色層４１ｄの順で積層されていることが好ましい。着色層４１ｄが一番外側にあると、外光の反射の有無によって色調が変化するため好ましくない。第一の不透明層４１ａと、第二の不透明層４１ｂは連続して配置することが好ましい。これによって、発光時に透光部４ａと不透光部４ｂの境界を明瞭化することができる。
【００２４】
本発明に係る車両用加飾部材１は、カバー部材４の最外層として、基板体４０の外面上に意匠層４２が設けられている。意匠層４２は非発光時の加飾部材１の外側の外観を決定するものであって、金属調や木目調などの所望の意匠が施される。意匠層４２は一定の透光性を有するものであれば、素材や基板体への積層方法に特に限定はなく、インモールド成形、真空成形、蒸着、水転写等、任意の方法で形成することができる。
【００２５】
図４は、本発明の加飾部材１の変形例を示す断面図である。この構成では、ケース部材３ａの内面の一部にカーボン膜などの光吸収性の被膜（黒色膜）３２が設けられている。これにより、発光素子３ｂのＬＥＤ本体３１からの照射光の反射を調整し、透光部４ａにおいて、局所的に輝度の高い部分が生じることを抑制できる。
【実施例】
【００２６】
図１に示す形態の加飾部材１を作製した。図２、３に示すカバー部材４の基板材４０には厚さ０．８ｍｍのポリカーボネートを使用し、外面にはインモールド法で縞状の意匠層４２を形成した。内面には、黒色塗料で第一の不透明層４１ａと第二の不透明層４１ｂを形成し、調整層４１ｃとしてスモーク層を形成し、着色層４１ｄとして青色塗料による塗膜を形成した。白色のケース部材３ａに、白色ＬＥＤを設置したものを基体２に嵌めこみ、カバー部材４を設置した。点灯時には青色のロゴマークがムラなく観察され、非点灯時には、ロゴマークは目立たなかった。
【００２７】
上述の実施形態および実施例では、インストルメントパネルの加飾部材について説明したが、本発明はこれに限定されるものではなく、ドアトリム、フロア、ルーフ等、任意の場所に、本発明に係る車両用加飾部材を設けることができる。
【産業上の利用可能性】
【００２８】
本発明によれば、透光部における光ムラの抑制された車両用加飾部材を提供することができる。このような加飾部材は、車両の操作性および／または意匠性を向上する上で有用である。
【符号の説明】
【００２９】
１  加飾部材
２  基体
３  発光部
４  カバー部材
４ａ  透光部
４ｂ  不透光部
４０  基板体
４１  加飾体
４１ａ  第１の不透明層
４１ｂ  第２の不透明層
４１ｃ  調整層
４１ｄ  着色層
３ａ  ケース部材
３ｂ  発光素子
３０  回路基板
３１  ＬＥＤ本体
３２  光吸収膜
【図１】
2018135012.tif 000003
【図２】
2018135012.tif 000004
【図３】
2018135012.tif 000005
【図４】
2018135012.tif 000006